(57)【要約】  本発明は、上に置かれるプレハブ式の少なくとも二つの耐力部屋ユニット（１）を包含する部屋配置（２０）に関する。部屋ユニットは、天井（２４）、床（２）及び少なくとも二つの壁（３、４、５、６）を有し、それらは少なくとも主にセルラーボードから作られる。本発明はまた、船舶、建物及び部屋配置を構築するための方法に関する。本発明は特に、中間のデッキ又は中間の床を備えない、多階層の部屋、例えば船舶の船室の仕切り又はアパートの棟を建造する新しい方法を関する。
2008528835.tif 000002
【特許請求の範囲】
【請求項１】
部屋配置（２０）であって、
天井（２４）、床（２）及び少なくとも二つの壁（３、４、５、６）を有する、上に置かれるプレハブ式の少なくとも二つの耐力部屋ユニット（１）を具備する部屋配置（２０）において、
前記天井、床及び少なくとも二つの壁が、少なくとも主にセルラーボードから作られることを特徴とする、部屋配置（２０）。
【請求項２】
部屋ユニット（１）が、少なくとも一つの壁（４、５、６）を包含し、その壁が、主にセルラーボードから作られ、前記壁の第一と第二の側面が、前記床の上のスペースから実際の間隔を有するように前記部屋ユニットの床の上のスペースを分割することを特徴とする、請求項１に記載の部屋配置。
【請求項３】
前記床の上にある前記セルラーボード（２）のセルの方向は、前記セルが、前記床の上のスペースを分割する前記壁（４、５、６）の前記第一側面から前記第二側面に延伸するように配置されていることを特徴とする、請求項２に記載の部屋配置。
【請求項４】
前記部屋ユニットのバルコニー（９）又は前記部屋配置の通路のスペース（１０）が、前記床の端末部に配置されていることを特徴とする、請求項２に記載の部屋配置。
【請求項５】
扉（５５）が、前記床の上のスペースを分割する前記壁（４、５５）に配置されていることを特徴とする、請求項２に記載の部屋配置。
【請求項６】
一つの部屋ユニットの床（２）が、一つの連続するセルラーボードの構造から成ることを特徴とする、請求項１に記載の部屋配置。
【請求項７】
少なくとも一つの壁のセルラーボードが、前記部屋配置の外壁（４、５５）として配置されていることを特徴とする、請求項１に記載の部屋配置。
【請求項８】
前記外壁及び／又は前記床のセルラーボードの外面が、ステンレス鋼から作られる又はステンレス鋼のプレートによって覆われることを特徴とする、請求項７に記載の部屋配置。
【請求項９】
少なくとも二つの前記部屋ユニットが、第一固定手段（３４）によって、垂直方向で互いに結合されていることを特徴とする、請求項１に記載の部屋配置。
【請求項１０】
前記上に置かれる部屋ユニットは、前記上部の部屋ユニットの壁の下端部（３１ｂ）が、前記下部の部屋ユニットの壁の上端部（３１ａ）に置かれるために、一直線に結合されることを特徴とする、請求項９に記載の部屋配置。
【請求項１１】
前記部屋ユニット（１）の前記天井（２４）及び／又は前記床（２）が、前記耐力壁（３、４、５、６）の側面に取付けられていることを特徴とする、請求項１から１０のいずれか一項に記載の部屋配置。
【請求項１２】
前記第一固定手段が、前記下部の部屋ユニットの壁の上端部に適合する第一の形状材（３４ａ、３７ａ）と前記上部の部屋ユニットの壁の下端部に適合する第二の形状材（３４ｂ、３７ｂ）とを有し、その壁が一直線に据付けられるようになっている結合異形材（２７、３７、４０）、及び前記第一と第二の形状材を結合する要素（３５）を包含することを特徴とする、請求項１０又は１１に記載の部屋配置。
【請求項１３】
少なくとも二つの前記部屋ユニットが、第二固定手段（２７、３７）によって、水平方向で互いに結合されていることを特徴とする、請求項１から１２のいずれか一項に記載の部屋配置。
【請求項１４】
前記第二固定手段が、互いに隣接して設置される前記部屋ユニットの壁の上端部と適合する第一と第二の形状材（３４ｂ、３４ｄ）を有する結合異形材（２７、３７、４０）と、前記第一と第二の形状材を結合する要素（３５）とを包含することを特徴とする、請求項１３に記載の部屋配置。
【請求項１５】
前記第二固定手段が、互いに隣接して設置される前記部屋ユニットの壁の下端部と適合する第一と第二の形状材（３４ｂ、３４ｄ）を有する結合異形材（２７、３７、４０）と、前記第一と第二の形状材を結合する要素（３５）とを包含することを特徴とする、請求項１３又は１４に記載の部屋配置。
【請求項１６】
前記第一と第二の固定手段が、同一の及び同様の部材（２７、３７、４０）であることを特徴とする、請求項９から１５のいずれか一項に記載の部屋配置。
【請求項１７】
前記天井、床及び少なくとも二つの壁が、少なくとも主にセルラーボードから作られ、前記セルラーボードの第一と第二の表面プレート（１２ａ、１２ｂ）及びそれらの間の芯（１３）が、少なくとも主に金属から作られることを特徴とする、請求項１に記載の部屋配置。
【請求項１８】
前記第一固定手段が、前記部屋ユニット（１）を結合するための結合異形材（２７、３７、４０）を包含し、その結合異形材が、
- 二つの下部の部屋ユニットの壁の上端部のための二つの下向きに開口する第一形状材（３４ａ、３４ｃ）と、
- 二つの上部の部屋ユニットの壁の下端部のための二つの上向きに開口する第二形状材（３４ｂ、３４ｄ）と、
- 前記第一と第二の形状材を結合する要素（３５）と、
を包含することを特徴とする、請求項１から１７のいずれか一項に記載の部屋配置。
【請求項１９】
二つの上に置かれる部屋ユニットを含み、
それらの間の結合が、
- セルラーボードから作られる前記下部の部屋ユニットの壁（３１ａ）と、
- セルラーボードから作られる前記上部の部屋ユニットの壁（３１ｂ）と、
- 前記部屋ユニット（１）を結合するための結合異形材（２７）と、
を包含し、
その結合異形材が、
ａ）第一形状材（３４ａ）であって、その内側に前記下部の部屋ユニットの壁の上端部が、配置され取付けられている第一形状材（３４ａ）と、
ｂ）第二形状材（３４ｂ）であって、その内側に前記上部の部屋ユニットの壁の下端部が、配置され取付けられている第二形状材（３４ｂ）と
ｃ）前記第一と第二の形状材を結合する要素（３５）と、
を包含することを特徴とする、請求項１に記載の部屋配置。
【請求項２０】
部屋配置が、
- セルラーボードから作られる部屋ユニットの二つの下壁（３１ａ、３１ｃ）と、
- セルラーボードから作られる部屋ユニットの二つの上壁（３１ｂ、３１ｄ）と、
- 結合異形材（２７）と、
を包含し、
前記結合異形材が、
ａ）水平方向で互いに間隔を取る二つの下向きに開口する第一形状材（３４ａ、３４ｃ）であって、その形状材の内側に、前記下部の部屋ユニットの壁の上端部が配置され取付けられている第一形状材（３４ａ、３４ｃ）と、
ｂ）水平方向で互いに間隔を取る二つの上向きに開口する第二形状材（３４ｂ、３４ｄ）であって、その形状材の内側に、前記上部の部屋ユニットの壁の下端部が配置され取付けられている第二形状材（３４ｂ、３４ｄ）と、
ｃ）前記第一と第二の形状材を結合する要素（３５）と、
を包含することを特徴とする、請求項１９に記載の部屋配置。
【請求項２１】
前記部屋配置がさらに、一つ又はそれ以上の絶縁プレート（３６ａ、３６ｂ）を包含し、絶縁プレートが前記第一と第二の形状材の内側で前記結合異形材によって結合されるために、前記結合異形材と前記下壁及び前記上壁との間に配置されていることを特徴とする、請求項１９又は２０に記載の部屋配置。
【請求項２２】
- 前記結合異形材（２７）が、
ｄ）前記二つの第一形状材の間に配置されている上向きに開口する第三形状材（３５）と、
- 前記結合異形材に結合される前記部屋ユニットの壁（３１）の平面と主に平行に配置されていて、下端部が前記第三形状材（３５）の内側に配置されている第二絶縁プレート（５８）と、
を包含することを特徴とする、請求項２０に記載の部屋配置。
【請求項２３】
請求項１に記載の前記部屋配置を包含することを特徴とする、船舶。
【請求項２４】
請求項１に記載の前記部屋配置を包含することを特徴とする、建物。
【請求項２５】
プレハブ式の少なくとも二つの耐力部屋ユニット（２１）の据付場所で部屋配置を構築するための方法であって、
前記耐力部屋ユニット（２１）の各々が、少なくとも主にセルラーボードから作られる、少なくとも天井（２４）、床（２）及び少なくとも二つの壁（３、４、５、６）を有し、
前記方法が少なくとも以下の、
- 据付場所の耐力面にプレハブ式の少なくとも一つの耐力部屋ユニット（２１）を据付けることによって前記部屋配置（２０）の耐力の第一階層（２２ａ）を建造する段階と、
- 前記耐力の第一階層にプレハブ式の少なくとも一つの耐力部屋ユニットを据付けることによって前記部屋配置の第二階層（２２ｂ）を建造する段階と、
- 前記上に置かれる部屋ユニットの壁（３１ａ、３１ｂ）であって、セルラーボードから作られ前記壁を互いに結合異形材によって結合する段階と、
を含み、
前記結合異形材が、
ａ）第一形状材（３４ａ）であって、その内側に前記下部の部屋ユニットの壁の上端部が配置され取付けられる第一形状材（３４ａ）と、
ｂ）第二形状材（３４ｂ）であって、その内側に前記上部の部屋ユニットの壁の下端部が配置され取付けられる第二形状材（３４ｂ）と、
ｃ）前記第一と第二の形状材を結合する要素（３５）と、
を包含する方法。
【請求項２６】
前記方法がさらに、
- 前記先行の耐力階層にプレハブ式の耐力部屋ユニットを据付けることによって前記部屋配置において所望する数の耐力階層（２２）を建造する段階と、
- 前記上に置かれる部屋ユニットを結合異形材によって互いに結合する段階と、
を含み、
前記結合異形材が、
ａ）第一形状材（３４ａ）であって、その内側に前記下部の部屋ユニットの壁の上端部が配置され取付けられる第一形状材（３４ａ）と、
ｂ）第二形状材（３４ｂ）であって、その内側に前記上部の部屋ユニットの壁の下端部が配置され取付けられる第二形状材（３４ｂ）と、
ｃ）前記第一と第二の形状材を結合する要素（３５）と、
を包含することを特徴とする、請求項２５に記載の方法。
【請求項２７】
前記方法がさらに、
- 前記部屋配置の耐力の第一階層で、互いに隣接する二つ又はそれ以上の部屋ユニットを建造する段階と、
- セルラーボードから作られる部屋ユニットの二つの下壁（３１ａ、３１ｃ）と、セルラーボードから作られる前記部屋ユニットの二つの上壁（３１ｂ、３１ｄ）とを、結合異形材で結合することによって、互いに階層を取付ける段階と、
を含み、
前記結合異形材が、
ａ）水平方向で互いに間隔を取る二つの下向きに開口する第一形状材（３４ａ、３４ｃ）であって、その形状材の内側に前記下部の部屋ユニットの壁の上端部が配置され取付けられる第一形状材（３４ａ、３４ｃ）と、
ｂ）水平方向で互いに間隔を取る二つの上向きに開口する第二形状材（３４ｂ、３４ｄ）であって、その形状材の内側に前記上部の部屋ユニットの壁の下端部が配置され取付けられる第二形状材（３４ｂ、３４ｄ）と、
ｃ）前記第一と第二の形状材を結合する要素（３５）と、
を包含することを特徴とする、請求項２５又は２６に記載の方法。
【発明の詳細な説明】
【技術分野】
【０００１】
本発明の目的は、示された独立請求項の序文による部屋配置、船舶、建物、及び部屋配置を構築するための方法である。本発明は特に、例えば多階層の部屋、船室の仕切り、又はアパートの棟を建造する新しい方法に関する。
【背景技術】
【０００２】
船室モジュールが船舶に据付けられる造船所に、プレハブ式の船室モジュールのような船室を持ち込むことは周知である。船舶において、船室モジュールがある耐力基礎、例えば船舶の底部、中間デッキ、又はメインデッキに据付けられる。通常、船室モジュールが一般的に据付けられるデッキは、船室の床用のフレームを形成するから、船舶に据付けられるプレハブ式の船室に床は無い。部屋ユニットがプレハブ式であっても、据付場所でそれ自体を完成させるために、さらに様々な作業段階がある。プレハブ式の部屋ユニットを家の建造においてもまた使用することが出来る。この場合にもまた、モジュールは耐力基礎に据付けられる。
【０００３】
周知の先行技術の一つの欠点は、プレハブ式部屋ユニットが据付けられる耐力基礎、例えば船舶の中間デッキ又は建物の床構造を、各々のプレハブ式部屋ユニットの下に必要なことである。船舶において耐力基礎として役立つデッキは、通常5-7mmの厚さの鋼鉄であり、支持構造体を加えたデッキは、約350-500mmの高さの構造体であり、それ故にそれらは重く、著しくスペースを取る。一般的に住宅用建物で階層の間に使用される耐力床もまた厚い。これらもまたスペースを取り、極端に重い構造体である。さらに、垂直な耐力構造体、例えば耐力壁及び柱もスペースを取り、船舶又は建物の重量を増加する。先行技術の連続する耐力基礎、例えば舶用デッキ又は住宅用建物の階層間の構造は、通常熱及び音を実に良く伝導する。先行技術の解決策は、鋼鉄製フレーム又は船舶の側面又は建物の外壁を含み、それらは部屋ユニットから独立している。
【０００４】
特許文献１は解決策を述べていて、その中で二つのプレハブ式船室が、互いに直接垂直方向に支持されて取付けられ、その結果、下の船室が上の船室の重量の大部分を支持する。特許文献１による解決策において、船室はデッキに平行な横方向で船舶の中に据付けられる。下の船室階層が初めに据付けられ、第二船室階層の床無し船室が側面から第一階層の上に移動される。特許文献１の解決策において、部屋ユニットの垂直な壁要素は、床要素の上に据付けられた。従って、床要素は、その上に据付けられた垂直な壁の重量を支持しなければならない。特許文献１において、合わせ目、従って音と熱の橋渡しもまた、床要素の場所で垂直な壁に形成される。当の特許文献１は、下部の部屋ユニットが上部の部屋ユニットによって受ける重力を下から支えるように、垂直方向で互いに二つの部屋ユニットより多数の結合を可能にするための解決策を提供していない。特許文献１は、垂直方向又は側面方向の遮音性又は耐火性を同時に解決するような、船室モジュールを互いに取付けるための機能的な解決策を述べていない。
【０００５】
先行技術の不利を解決するために、解決策が示唆されたが、例えば、重く構築された舶用デッキを排除することが可能になっていない。特にスペースの厳密に制限された使用によって、重い外殻構造体の遮音性と断熱性のための解決策を見出すことは困難である。部屋モジュールを互いに取付けるための満足する解決策は、提示されていない。
【０００６】
【特許文献１】国際公開第２００４／０４１６３３号パンフレット
【発明の開示】
【発明が解決しようとする課題】
【０００７】
先行技術の上述の課題を減らす又はさらに排除することが、本発明の目的である。
【０００８】
特に解決策を提供することが本発明の目的であり、それによって、プレハブ式の部屋ユニットから高い自立支持の構造体を、迅速に、経済的に、及び単純に構築することが出来る。
【０００９】
本発明の一つの目的は部屋配置を達成することであり、そこに、その他の耐力構造、例えば舶用デッキ又は住宅用建物のフレームを部屋ユニット間に必要としないために、数個のプレハブ式部屋ユニットを垂直方向で互いに結合することが出来る。
【００１０】
本発明の一つの目的は、部屋ユニットがそれ自体を、及びその上の部屋ユニットの両方を支える部屋配置を提供することである。
【００１１】
本発明の一つの目的は、多階層の船室の仕切りがそれ自体を支える船舶を提供することである。
【００１２】
本発明の一つの目的は、多階層の部屋配置がそれ自体を支える建物を提供することである。
【００１３】
本発明の一つの目的は、部屋配置を提供することであり、その耐力フレームは、部屋ユニット、特に互いの上に据付けられた部屋ユニットの壁構造体から形成される。
【００１４】
本発明の一つの目的は、船舶及び建物のための多階層の部屋配置を提供することであり、それは耐火性で、良好な遮音特性を有し、建造するのに経済的である。
【００１５】
本発明の一つの目的は、結合異形材と結合部を提供することであり、それによって部屋ユニットを互いに、堅固にしかし柔軟な方法で容易に取付けることが出来る。
【００１６】
本発明の一つの目的は、幾つかのプレハブ式部屋ユニットからなる自立支持の部屋配置を提供することであり、配置の部屋ユニットを互いに、堅固にしかし柔軟な方法で取付けることが出来る。
【００１７】
本発明の一つの目的は、プレハブ式自立支持の部屋ユニットと、それから成る船舶と建物を提供することであり、その船舶と建物において、プレハブ式部屋ユニットの壁が船舶のデッキ構造の外壁又は建物の外壁を形成する。
【００１８】
本発明の一つの目的は、部屋配置を提供することであり、船舶又は建物において、その場所に別の外壁構造を必要としない。
【課題を解決するための手段】
【００１９】
例えば上述の目的を実現するために、本発明による部屋配置、船舶、建物、及び方法は、包含する独立請求項の特徴を示す部分に表記される事柄によって特徴付けられる。
【００２０】
この本文で述べられる実施形態と有利性は、適用する場合に必ずしも明確に述べられていないとしても、本発明による部屋配置、船舶、建物、及び方法に関係する。
【００２１】
本発明による代表的な部屋配置は、重ね合わせて配置され、少なくとも主にセルラーボードから作られる天井、床、及び少なくとも二つの壁を有する、プレハブ式の少なくとも二つの耐力部屋ユニットから成る。全ての壁、一般的に二つの側壁と二つの端部壁は、好ましくは、プレハブ式の部屋ユニットに備えられている。壁は、一般的に必然的な扉と任意の窓とを備える。一般的に、壁、床、及び天井は、配線、配管等々のための必要な数の開口部をまた有する。
【００２２】
これに関連して、部屋ユニットとは、建造に使用される天井、床、及び壁から成る自立支持ユニットを言う。一般的に部屋ユニットは、一つの部品として移動され、一つの部品として設置場所に据付けられる。部屋ユニットは、例えばプレハブ式の船室であってもよい。
【００２３】
これに関連して、部屋配置とは、共に取付けられた幾つかの部屋ユニット、例えばアパートの棟の上に置かれた区画又は船室の仕切りから形成される構造を言う。
【００２４】
これに関連して、プレハブ式とは、部屋ユニットの天井、床、及び壁が、船舶又は建物において、その位置に据付ける前に既に結合されていることを言う。プレハブ式の部屋の内装、例えば家具、カーペット、壁紙、浴室の内装、並びに暖房設備、給排水設備、換気設備、及び電気設備は、一般的に部屋ユニットが据付場所に運ばれる前に、出来るだけ容易に作業される。
【００２５】
これに関連して、セルラーボードとは、ほぼ平行な二つの表面プレートとそれらの間に配置される芯から形成されることで知られる構造を言う。一般的にはまた、芯は板状の素材であるが、例えばプレート素材に折り目を、及び折り目の間に溝を形成することによって、その形状は表面プレートの方向と異なって配置されている。一般的に芯は、通常主にセルラーボードの全長を有する、数個の隣接し平行に真直ぐな形状を包含する。これに関連して、セルラーボードの芯の形状の長手方向は、芯方向と呼ばれる。セルラーボードは、芯方向に対し横切る方向において極端に良好な曲げ耐力がある。一般的に、本発明によるセルラーボードの芯は、表面プレートに堅固に取付けられている。一般的に、外面プレートと芯とは、例えばレーザ溶接によって溶接され、例えば一般的に、本発明によるセルラーボードの表面プレートと芯とは、鋼鉄、例えばステンレス鋼、又はアルミニウムのような金属から作られるが、その他の材料も使用される。表面プレートと芯の厚さ、材料、及び芯の形状は、各々の状況に適合させるための大きさに作られる。セルラーボードの構造によって、極めて軽く、より堅固で、連続するプレート構造よりも良好な曲げに対する耐性を有する構造を達成することが出来る。芯の形状は、セルラーボードの堅固さと強さに大きな影響力を有する。例えば、鋼鉄から作られる芯は、波の頂を成す波状に曲げられたプレートの形状を有することができ、一般的に表面プレートに溶接される。さらに、例えばＶ字形の、又は表面プレートにほぼ垂直なプレート、すなわちＩ字形に配列されたプレートから形成される芯を配列することも可能である。芯はハニカム形状に曲げられたプレートから構成できる。芯として、パイプ形状を有する及び断面において環状又はその他の形状である梁を使用することもまた可能である。
【００２６】
これに関連して、耐力構造とは、それ自体の重量及びその上の重量も支える構造を言う。代表的な耐力構造は、全体構造の支持フレームを形成し、その支持フレームが構造に掛かる力を支え、十分に機能的な剛性を提供する。
【００２７】
さて、部屋ユニットの床、天井、及び壁の主構造として周知のセルラーボードを使用することによって、極端に堅固な、自立支持の、及び軽量な構造を容易に達成することが可能であることに、驚いたことに気付いた。本発明によるセルラーボードの使用によって、部屋ユニットをいかなる特別な梁構造体又は同様の物を備えることなく自立支持構造にすることが出来る。
【００２８】
さてさらに、本発明による部屋ユニットから形成される部屋のための上に重ねる及び／又は隣接する配置が、それ自体で自立支持構造を形成することができることに、驚いたことに気付いた。主にセルラーボードから作られる部屋ユニットの床、天井、及び壁が、非常に堅固に容易に配置されるので、このような構造は、部屋ユニット自体及びその上に据付けられる幾つかの部屋ユニットの両方を支持する。部屋配置は、上に置かれる部屋ユニットの壁が正確に互いの上部にある場合に、特に堅固に作られる。互いに取付けられる部屋ユニットは、例えば船室の仕切り又はひと棟のアパートを形成することができ、建物の耐力外殻構造としてそれ自体に役に立つ。本発明による部屋配置は、例えば正確に又は少なくとも、互いの上部に１、２、３、４、５、６、７、８、９、１０、１５、２０、２５、３０、４０又は５０の部屋ユニットを有することが出来る。本発明による部屋配置は、例えば互いの上部に２-１０、２-１５、２-２０、２-３０、２-４０、２-５０、３-１０、３-１５、３-２０、３-３０、３-４０、３-５０、４-１０、４-１５、４-２０、４-３０、４-４０、４-５０、５-１０、５-１５、５-２０、５-３０、５-４０又は５-５０、の部屋ユニットをまた有してもよい。
【００２９】
本発明の有利性は、部屋ユニットを据付けることが出来る一つの耐力外殻平面、例えば船舶の底部又はデッキ、又は建物の耐力基礎床のみを必要とすることである。それ故に、全ての中間デッキでさえ、少なくとも本発明による部屋配置の場所で、船舶から除外することが出来る。同様に、基礎床の上にある耐力床面を建物から除外することが出来る。船舶の外殻構造体に要求される材料の必要性が、意味を持って削減され、たぶん10％も又はそれ以上にも、船舶の重量を著しく減少することが出来る。同様に、家の建造において、建物のフレーム構造体を軽量化してもよい。船舶又は建物の高さが削減され、少なくとも同一の高さの船室又は部屋は、同一の高さに適合する。従って、船舶又は建物の建造をより経済的に及び以前より速くすることが可能になる。
【００３０】
本発明の一つの有利性は、造船所での建造作業の必要性を削減することである。従って、ますます船室の準備作業を造船所内よりもよりよい条件で実施することができ、それによって、品質と作業の生産性を向上することが出来る。同時に船舶の建造はますます早くなる。
【００３１】
本発明の一つの有利性は、据付場所での部屋ユニットの船室の完了作業、例えば清掃作業の必要性をより少なくする。工場で先に完全に準備された内装を備える部屋配置を用意することさえ可能になる。例えば、船室モジュールは工場で製造され、そこでその扉は完了し清掃された後に錠がおろされる。船室モジュールは造船所に輸送され、そこでそれが全て外部から船舶内に据付けられ、扉は、全ての汚れた据付作業が完了した場合のみ開かれるだろう。
【００３２】
本発明の一つの有利性は、完全で容易なプレハブ式の部屋ユニットを、それが閉じられているから、屋外であれ霜の降りる天候であれ保管することが出来る。保管の期間中に、部屋ユニットに加熱装置を据付ける、又は部屋ユニットにあるいは据付けられている加熱装置を保管中に使用することが出来る。このように、例えば部屋ユニットの家具及び敷物は、良好な状態で維持される。
【００３３】
本発明の一つの優位性は、床によってプレハブ式の部屋ユニットをますます容易に作ることが出来ることである。
【００３４】
本発明の一つの優位性は、本発明による部屋ユニットの遮音材及び耐熱材が容易に作られることである。音と熱の橋渡しは、各々の部屋ユニットの間で垂直及び水平の両方向で容易に切断される。船舶の国際ソーラス資格（the international Solas qualification）によるクラスＡの分離構造を、本発明による構造を備える水平面で達成することが出来る。火災分類（fire classification）のクラスＥを、本発明による建物によって容易に達成することが出来る。
【００３５】
その層構造によって、例えば鋼鉄製セルラーボードの構造を備えるスペースを有する壁、天井、又は床を、必要な場合はいつでも火災から分離するように建造することが出来る。本発明のおかげで、建物及び船の防火区画化は従って容易で簡単になる。
【００３６】
本発明の実施形態において、部屋ユニットは、少なくとも主にセルラーボードから作られる耐力壁を包含し、その壁は、壁の両側面において、床面とその上のスペースとが実際の間隔となるように、部屋ユニットの床の上で部屋を分割する。従って、床の第一部分は、部屋ユニットの内部の床となるように、床の第二部分は、部屋ユニットの外部の床、例えばバルコニー又は廊下の床となるように意図される。床面の実際の間隔は、床を分割する前記壁から計測して、例えば少なくとも0.5m、少なくとも1m、少なくとも1.5m、少なくとも2m、0.5m-1m、0.5m-1.5m、0.5-2m又は1-2mを意味する。部屋を分割する壁は、一つよりも多くすることが出来る。例えば一つの部屋ユニットを、一方の側面にバルコニー又はバルコニー床を備え、他方の側面に廊下スペース、又はエンジニアリングとユーティリティサービスの部屋、又はそれらのための床を備えて、プレハブ式に作ってもよい。船室から廊下又はバルコニーに導く扉が、部屋を分割する壁に一般的に配置されている。
【００３７】
バルコニー又は廊下の、又はその他の外部スペースの床になるように意図される部屋ユニットの床を、支持構造無しで自立支持する突出る部分として作ることが出来る。従って一般的に、セルラーボードの芯の方向は、前記部屋を分割する壁の方向に対して主に垂直に配置されている。従って、例えばバルコニーの床となっているセルラーボードの部分は、支持梁又は下からそれを支える壁のようなその他の特別な耐力構造を必要としない。部屋ユニットの壁のセルの方向は、最大垂直強度を達成するために、一般的に主に垂直である。セルの方向は、壁、床又は天井の幾つかの部分で変わってもまたよい。
【００３８】
本発明の一つの実施形態において、一つの部屋ユニットの床は、一つの連続するセルラーボード構造からなる。従って、簡単で特に頑強な構造が達成される。このような床のセルラーボードを多数の異なる形式で製造することが出来るが、部屋ユニットの床は形状において一般的に縦長であり、少なくとも主に矩形である。部屋ユニットの床をこのような矩形に形成する物の短側面は、部屋ユニットの幅の長さを有し、一般的に1-5mの間で、又は1.5-4m又は2-3mの間で変わる。このような矩形の長側面の長さは、部屋ユニットの長さであり、一般的に3-15mの間に、又は4-12m、5-10m、5-12m、6-10m、6-12m、又は6-8mの間で変わる。一つの部屋ユニットの高さは、一般的に人間が住居用として使用するのに適する高さであり、一般的に2-3mである。
【００３９】
本発明の一つの実施形態において、部屋ユニットの水平要素、言い換えれば天井又は床の要素は、２つの上に置かれる垂直な壁要素の間に水平な床又は天井の要素がないように取付けられる。言い換えれば、部屋ユニットの天井及び／又は床を、従って耐力壁の垂直な側面に取付けている。その結果、天井と床の要素を、例えばボルト止め又は溶接によって垂直な壁要素の内面に結合することが出来る。従って、床要素は、その上の部屋ユニットの重量を支持する必要がない。この解決策によって、音と熱の橋渡しは、床要素の場所において垂直な壁に形成されないだろう。
【００４０】
本発明の一つの実施形態において、二つ又はそれ以上の部屋ユニットがほぼ同一の水平高さで互いに接して結合され、その結果、前記部屋ユニットの主に矩形の床のセルラーボードの短側面は、互いに接して互いに取付けられ、長側面は、一つの連続する長側面を形成して互いに延伸するように設置される。二つの共に結合された部屋ユニットの床のセルラーボードが床構造を形成し、その長側面は、一つの部屋ユニットの床の長側面の二倍である。例えば、船舶に据付けられた場合に、前記の方法で結合された二つの部屋ユニットの床のセルラーボードは床構造を形成してもよく、第一船舶端部から第二船舶端部に延伸し、それは、一つの船舶側面から別船舶側面である。それぞれに二つ、三つ又はそれ以上の部屋ユニットを、それらの床のセルラーボードの長側面が互いに接し互いに取付けられるように、隣同士に配置することが出来る。従って、第一船舶端部から第二端部に延伸する床構造が形成される。隣同士に又は連続してほぼ同一の水平高さに配置される部屋ユニットの床のセルラーボードは、これによって船舶デッキ全体又はデッキの一部と交換されてもよい。
【００４１】
船舶の側面又は建物の外壁を、直接に部屋ユニットの外壁から形成してもよい。隣接する部屋ユニットの外壁のセルラーボードは、例えば互いに溶接によって結合される。細長い鋼鉄片を、例えば溶接又は接着剤によって合わせ目に取付けてもよい。
【００４２】
外面、例えばバルコニーの床及び外壁の外面にしようとする部屋ユニットの少なくともこれらの構造体を、ステンレス鋼又は耐酸性鋼板から製造してもよく、又はそれらを同様な物でコーティングすることも出来る。これによって、浸食に対する耐性は向上する。有利性として、野外の空気に曝される側面の表面プレートとなる少なくともセルラーボード又は床のセルラーボードの外面は、例えば、ステンレス鋼又は耐酸性鋼鉄である。セルがステンレス鋼又は耐酸性鋼鉄から作られる場合に、それらはメンテナンスフリー及びその他の解決策より十分に長く持続する。
【００４３】
絶縁材料を取付けるための手段を、部屋ユニットの外面となるようにセルラーボードの表面プレートに取付けることが出来る。例えば、絶縁材料プレートを設置することが出来る大釘をこの表面プレートに溶接してもよい。例えば、本発明による建物において、例えば、漆喰塗り又はその他のコーティングを絶縁材料プレート上に配置してもよい。これによって、外壁は、外観と特性、例えば耐候性において所望通りに作られる。
【００４４】
本発明の一つの実施形態において、絶縁材料、例えばブローウール（blow wool）を、部屋ユニットの壁、床、又は天井を形成するセルラーボードの内側のその芯と表面プレートとの間のスペースに配置してもよい。従って、断熱と遮音能力は増進される。セルラーボード構造を、絶縁材料によってさらに完全に充填してもよい。
【００４５】
本発明の一つの実施形態において、セルラーボード構造を備える少なくとも二つの耐力部屋ユニットが、第一固定手段によって垂直方向で互いに結合されている。これは、それらが互いに堅固に結合されていることを意味し、その結果、船舶のデッキのような耐力床面は無い。
【００４６】
本発明の実施形態において、上に置かれる部屋ユニットは、少なくとも部屋ユニットの外部寸法と同一である。その場合に、上部の部屋ユニットの壁の下端部が下部の部屋ユニットの壁の上端部に接して設置するように、上に置かれる部屋ユニットを一直線に据付けてもよい。従って、セルラーボード構造を有する耐力壁は一直線になり、垂直方向に良好な耐力能力を備える構造が達成される。
【００４７】
本発明の実施形態において、第一固定手段は、下部の部屋ユニットの壁の上端部に適合する第一形状材と上部の部屋ユニットの壁の下端部に適合する第二形状材とを有し、その壁が一直線に据付けられるようになっている結合異形材、及び第一と第二の形状材を結合する要素を包含する。Ｕ字異形材のような壁に適合する形状材は、結合が堅固であり、同時に壁がそこに容易に取付けられるように製造することが容易である。
【００４８】
本発明の一つの実施形態において、少なくとも二つの前記部屋ユニットは、第二固定手段によって垂直方向で互いに結合されている。このように、部屋ユニットから形成される隣接する高い塔でさえ、堅固に作られる。
【００４９】
本発明の一つの実施形態において、第二固定手段は、互いに隣接して設置される部屋ユニットの壁の上端部及び／又は下端部に適合する形状を有する結合異形材と、これらの形状材を結合する要素とを包含する。壁に適合する形状、例えばＵ字異形材は、結合が堅固で、しかし必要ならば柔軟であるように製造することが容易である。同時に前記形状材は、部屋ユニットの壁が結合異形材に容易に取付けられるように容易に作られる。例えば、前記Ｕ字異形材を、Ｕ字形の分岐材の両端部に向かって僅かに開いて配置することが出来る。
【００５０】
上述の結合異形材は、幾つかの適切な材料、例えば鋼鉄から作ることが出来き、その結果それらは僅かに可撓性になる。このように高い部屋配置でさえ、振動及び曲げに対してより良い耐性が達成できる。船舶において、例えば外殻は、高い波で数センチメータ曲がる可能性がある。その場合に、本発明による部屋ユニット間の結合部によって、曲げによって生ずる主応力に耐えることが出来る。上述の結合異形材、すなわち第一と第二の固定手段を、例えば幾つかの結合異形材と共に溶接することによって、一つの及び同様の部材として容易に製造することが出来る。従って、据付を容易にし、結合は耐久性を有する。本発明による結合異形材を、例えば厚さ2-4mm、約一部屋ユニットの長さ、例えば5-12mの長さを有する鋼鉄から作ることが出来る。
【００５１】
本発明による代表的な結合異形材は、堅固に二つ又は数個の部屋ユニットを互いに結合するようになっている。結合異形材は、以下を含む。
- 二つの下部の部屋ユニットの壁の上端部のための二つの下向きに開口する第一形状材と、
- 二つの上部の部屋ユニットの壁の下端部のための二つの上向きに開口する第二形状材と、
- 第一と第二の形状材を結合する要素。
【００５２】
本発明による部屋ユニット間の結合はさらに、本発明による上述の結合異形材と、セルラーボードから作られ結合異形材に結合される壁とを包含する。加えて、本発明による部屋ユニット間の結合が、一つ又はそれ以上の絶縁プレート、例えば絶縁マットやセラミックマットを包含する。絶縁プレート又はマットは一般的に、結合異形材及び、結合異形材によって第一と第二の形状材の内側で結合される下壁と上壁の間に配置されている。この絶縁プレートは、幾つかの分離する部材から構成されてもよい。
【００５３】
実施形態による部屋ユニット間の結合は、四つの部屋ユニットを共に結合するために使用される。その場合に、結合は以下を包含する。
- セルラーボードから作られる部屋ユニットの二つの下壁と、
- セルラーボードから作られる部屋ユニットの二つの上壁と、
- 水平方向で互いにある距離を取る二つの下向きに開口する第一形状材と、水平方向で互いにある距離を取る二つの上向きに開口する第二形状材と、第一と第二の形状材を結合する要素とを包含する結合異形材。
【００５４】
その上、この実施形態はさらに一つ又はそれ以上の第一絶縁プレートを包含し、それは結合異形材及び、結合異形材によって第一と第二の形状材の内側で結合される下壁と上壁の間に配置されている。
【００５５】
本発明の実施形態において、結合異形材はさらに、前記二つの第一形状材の間に配置されている上向きに開口する第三形状材を包含する。第二絶縁プレートは、一般的に第三形状材の内側に据付けられている。一般的に、第二絶縁プレートは、鉱滓綿プレート又は同様の物からなり、結合異形材に結合される部屋ユニットの壁の平面に主に平行に配置されている。第二絶縁プレートの下端部は、第三形状材の内側に配置されている。
【００５６】
本発明による部屋配置を構築するための代表的な方法において、一つ又はそれ以上のプレハブ式の耐力部屋ユニットは、据付場所に据付けられる。従って、部屋ユニットは、少なくとも天井、床、及び少なくとも二つの壁を有し、それらは少なくとも主にセルラーボードから作られる。据付場所が、例えば船舶又は一棟のアパートであってもよい。方法は少なくとも以下の段階を含む。
- 据付場所の耐力面上に、少なくとも一つのプレハブ式の耐力部屋ユニットを据付けることによって、部屋配置の耐力の第一階層を建造する段階。据付場所の耐力面は、例えば船舶の底部又はメインデッキ、又は建物の耐力基礎床が当てはまり、建造される必要な大きさの部屋配置を支持する。
- 耐力の第一階層上に、少なくとも一つのプレハブ式の耐力部屋ユニットを据付けることによって、部屋配置の第二階層を建造する段階。本発明による部屋ユニットは、それら自体を支え、特別な支持構造体を必要としない。
- 本発明による結合によって、上に置かれる部屋ユニットを互いに結合する段階。結合は、適切な形状を有する結合異形材を包含し、下部の部屋ユニットの壁の上端部及びそれと一直線になる上部の部屋ユニットの下端部が、結合異形材に据付られ取付けられる。
【００５７】
本発明による方法の実施形態は、さらに以下を含む。
- 先行の耐力階層の上に少なくとも一つのプレハブ式の耐力部屋ユニットを据付けることによって、部屋配置のために所望される数の耐力階層を建造する段階。
- 本発明により前記結合によって上に置かれる部屋ユニットを互いに結合することによって、各階層を常に先行の階層に結合する段階。
【００５８】
本発明による方法の実施形態は、さらに以下を含む。
- 部屋配置の耐力の第一階層のために、二つ又はそれ以上の部屋ユニットを互いに隣合って建造する段階。
- さて、次の階層の結合箇所で結合される部屋ユニットの二つの下壁と二つの上壁がある。新しい階層は、部屋ユニットの四つの壁のための適切な形状を有する本発明による結合異形材によって、互いに取付けられる。
【００５９】
建物又は船舶を建造するために本発明による方法を使用する場合に、時間と経費の節約が達成される。
【発明を実施するための最良の形態】
【００６０】
本発明は、包含された概略図面を参照して以下により詳細に述べられる。
【００６１】
明確さのために、幾つかの対応する部品は同一の符号を有する。さらに明確さのために、図中の幾つかの寸法は歪められる。
【００６２】
図１は、本発明による部屋ユニット１を示す。部屋ユニット１は、床プレート２、天井２４、側壁パネル３ａと３ｂ、外壁パネル４、廊下の壁パネル５及び別の廊下の壁パネル６を有し、それらは、鋼鉄のセルラーボードから作られる。壁パネル３と４と５及び天井２４は、部屋７、例えば船室のために、床パネル２上のスペースを限定する。部屋の内部に、浴室８が破線で示される。床パネル２は、外壁４及び廊下の壁５と６の、両側に延伸する。部屋７の床の外側部分は、バルコニーの床９、廊下の床１０及びエンジニアリングとユーティリティサービスの部屋の床１１を形成する。バルコニーの床９及び外壁パネル４は、耐候性を向上するためにステンレス鋼によって覆われている。図１の部屋ユニット１の床２は、一つの連続するセルラーボード構造から成る。
【００６３】
代表的なセルラーボードの構造の主材が図７に示される。セルラーボードは、表面プレート１２ａと１２ｂを包含する。曲げられた長手方向の鋼鉄材料は、芯１３を形成するために表面プレートの間に取付けられている。芯１３は、例えばレーザ溶接で表面プレート１２ａと１２ｂに溶接されている。セルラーボードのセル方向は、前記曲げ方向である。図７のセルラーボードの表面プレートは、芯の方向で幾つかのレーザ溶接した部材から形成されるが、セルラーボード全体の大きさを有する一つの部材から表面プレート１２ａと１２ｂを形成することもまた可能である。
【００６４】
図２は、本発明による部屋配置２０を示し、本発明による部屋配置の部屋ユニット２１は、各々の上部に五個及び互いに隣接して三個を有し、共に堅固に取付けられている。第一階層２２ａは、初めに船舶のデッキに又は建物の耐力基礎プレートに直接取付けられている。それから第二階層２２ｂが、直接に、ちょうど第一階層２２ａの上に建造される。一例として、第三階層２２ｃが第二階層２２ｂの上に、第四階層２２ｄが、第三階層２２ｃの上に、及び第五階層２２ｅが第四階層２２ｄの上に建造される。そのセルラーボード構造によって、部屋配置２０は自立支持構造である。部屋配置２０が一棟のアパートである場合に、建物の屋根デッキ又は屋根覆いをその上に据付けることが出来る。部屋配置２０が船室の仕切りである場合に、例えば露天デッキ又はそのような物をその上に据付けることが出来る。各々の部屋ユニット２１は、バルコニー９と図には示されていないその欄干とを有する。各々の部屋ユニットは、外壁５５に形成される扉５６及び窓５７を有する。
【００６５】
図２において、部屋配置２０の部屋ユニット２１は、それらの配置において少なくともほとんど同一である。その場合に、上に置かれる部屋ユニットは、上部の部屋ユニットの壁の下端部が、常に下部の部屋ユニットの壁の上端部に接して据付けられるように、一直線に結合されている。部屋ユニットを互いに結合することを、図３から６でより詳細に述べるだろう。
【００６６】
図３は、図２の部屋配置２０のある部分の断面を示す。それは、天井２４、側壁３ａと３ｂ、及び床２によって限定される部屋７の断面を示す。その隣に、別の部屋ユニットの側壁３ｂ’、天井２４’、及び床２’がある。図は、床２がＬ字形の細長い片２５を両方の壁３ａと３ｂに、及び床２に溶接することによって壁３ａと３ｂに取付けられる方法を示す。天井２４はＵ字異形材２６を介して壁３ａと３ｂに取付けられている。これらの取付方法は本発明の特定の目的ではなく、必要に応じて変更することが可能である。主要な概念は、異なるセルラーボード間の取付が、部屋ユニットの耐力構造を共に保持するために、部屋ユニットとって十分な耐久性があることである。図３において、最良の垂直な耐力を確保するために、天井と床の要素は、上に置かれる二つの垂直な壁要素の間に水平な床又は天井の要素が無いように取付けられている。言い換えれば、天井２４と床２は、耐力壁３ａと３ｂの垂直な側面に取付けられている。絶縁材料、例えば鉱滓綿プレートは、遮音及び断熱のために床２の下に取付けられている。本発明による結合異形材２７は、隣接する側壁３ａと３ｂに据付けられている。本発明による一つの結合異形材２７は、図４に拡大して示される。
【００６７】
図４は、四つの部屋ユニット１ａ、１ｂ、１ｃ、及び１ｄの結合箇所を示す。上部分３１ａと３１ｃ及び天井３２ａと３２ｃが、部屋ユニット１ａと１ｃに属することが分かる。下部分３１ｂと３１ｄ及び床３２ｂと３２ｄが、部屋ユニット１ｂと１ｄに属すことが分かる。さらに、Ｕ字異形材３３ａ−ｄが見られ、それによって床と天井が壁に取付けられている。結合異形材２７において、Ｕ字異形材は、結合異形材によって共に結合されるようになっている四つの壁３１の各々のために形成されている。これらの固定手段３４ａ−ｄは、Ｕ字異形材３５と結合されている。隣接する部屋ユニット間の間隙Ａは、Ｕ字異形材３５によって決定される。Ａは例えば25-50mmであり、一方、壁３１ａ−ｄの厚さは、例えば30-60mmである。絶縁プレート５８は、Ｕ字異形材３５の中に配置される。セラミックマット３６ａ−３６ｄ、又はある別の適切に薄い断熱材及び遮音材は、Ｕ字異形材３４の端部と壁３１との間に据付けられている。床と天井との間に残された空のスペース、例えば上の部屋ユニットの床３２Ｂと下の部屋ユニットの天井３２ａとの間に残されるスペース５０を、そこにエンジニアリング、例えば配管及び配線等々を据付けることによって利用することが出来る。
【００６８】
図５は、図４の結合異形材２７に対する代替の実施形態を示す。結合異形材３７は、二つの要素３７ａと３７ｂから成り、それらを据付前に、例えば溶接によって互いに取付けることが出来る。結合異形材３７の壁３１ａ−ｄのために意図された形状は、それらの形状において図４の物とは異なる。図５は、壁のための前記形状材３７ａと３７の端部３８ａ−ｄが、形状材３７ａと３７ｂから離れて曲げられていることを示す。従って壁３１は、結合異形材３７により容易に据付けられる。容易な据付は重要であり、時には部屋モジュールがむしろ狭くて厄介なスペースに据付けられる。セラミックマット３６ａ−ｄは、形状材３７ａと３７ｂ及び壁の端部３１ａ−ｄの間に設置されている。結合異形材３７の中央に、結合の実施に役立つ要素３９がある。据付中に、要素３９の対角の下面４５は、下の壁３１ａと３１ｃをそれらの適切な場所に導き、そこは形状材３７ａの底部である。据付中に、要素３９の対角の上面４４は、上の壁３１ｂと３１ｄをそれらの適切な場所に導き、そこは形状材３７ｂの底部である。このように、要素３９の形状と大きさは、結合部の隣接する壁、例えば壁３１ａと３１ｃの互いの間隔を決定する。
【００６９】
図６は、本発明による結合異形材４０のための一つの代替案を示す。結合異形材４０は、壁に据付け取付けるためのＵ字異形材３４の形状と、隣接する部屋ユニット間の間隔を決定するためのＵ字異形材３５の形状とを有する。絶縁プレートをＵ字異形材３５の中に配置することが出来る。開口部４１は、結合異形材全体の道程のためにＵ字異形材３５の垂直部分で部分的に重なる列として形成されている。これらの所謂「熱的開口部」の目的は、金属製の結合異形材４０の垂直方向の熱と音の伝導を鈍化するためである。
【００７０】
本発明の唯一の有利な実施形態は、図に示される。図は、本発明の主要な概念を考慮して関連性の無い事柄、例えば、当業者にとって周知の又は明白な事柄を分けて示してはいない。本発明が上述の例示に全く限定されず、本発明が提示された請求項の範囲内で変更できることは、当業者にとって明らかである。従属請求項は、幾つかの可能性のある本発明の実施形態を提示しており、それらが本発明の保護範囲を限定すると考えるべきでない。
【図面の簡単な説明】
【００７１】
【図１】本発明による部屋ユニットを示す。
【図２】本発明による部屋配置を示す。
【図３】本発明による部屋配置の一部分の断面を示す。
【図４】本発明による結合部を示す。
【図５】本発明による別の結合部を示す。
【図６】本発明による結合異形材を示す。
【図７】セルラーボードの構造を示す。
【図１】
2008528835.tif 000003
【図２】
2008528835.tif 000004
【図３】
2008528835.tif 000005
【図４】
2008528835.tif 000006
【図５】
2008528835.tif 000007
【図６】
2008528835.tif 000008
【図７】
2008528835.tif 000009
【手続補正書】
【提出日】平成19年8月9日(2007.8.9)
【手続補正１】
【補正対象書類名】特許請求の範囲
【補正対象項目名】全文
【補正方法】変更
【補正の内容】
【特許請求の範囲】
【請求項１】
部屋配置（２０）であって、
天井（２４）、床（２）及び少なくとも二つの壁（３、４、５、６）を有する、上に置かれるプレハブ式の少なくとも二つの耐力部屋ユニット（１）を具備する部屋配置（２０）において、
前記天井、床及び少なくとも二つの壁が、少なくとも主にセルラーボードから作られることを特徴とする、部屋配置（２０）。
【請求項２】
部屋ユニット（１）が、少なくとも一つの壁（４、５、６）を包含し、その壁が、主にセルラーボードから作られ、前記壁の第一と第二の側面が、前記床の上のスペースから実際の間隔を有するように前記部屋ユニットの床の上のスペースを分割することを特徴とする、請求項１に記載の部屋配置。
【請求項３】
前記床の上にある前記セルラーボード（２）のセルの方向は、前記セルが、前記床の上のスペースを分割する前記壁（４、５、６）の前記第一側面から前記第二側面に延伸するように配置されていることを特徴とする、請求項２に記載の部屋配置。
【請求項４】
前記部屋ユニットのバルコニー（９）又は前記部屋配置の通路のスペース（１０）が、前記床の端末部に配置されていることを特徴とする、請求項２に記載の部屋配置。
【請求項５】
扉（５５）が、前記床の上のスペースを分割する前記壁（４、５５）に配置されていることを特徴とする、請求項２に記載の部屋配置。
【請求項６】
一つの部屋ユニットの床（２）が、一つの連続するセルラーボードの構造から成ることを特徴とする、請求項１に記載の部屋配置。
【請求項７】
少なくとも一つの壁のセルラーボードが、前記部屋配置の外壁（４、５５）として配置されていることを特徴とする、請求項１に記載の部屋配置。
【請求項８】
前記外壁及び／又は前記床のセルラーボードの外面が、ステンレス鋼から作られる又はステンレス鋼のプレートによって覆われることを特徴とする、請求項７に記載の部屋配置。
【請求項９】
少なくとも二つの前記部屋ユニットが、第一固定手段（３４）によって、垂直方向で互いに結合されていることを特徴とする、請求項１に記載の部屋配置。
【請求項１０】
前記上に置かれる部屋ユニットは、前記上部の部屋ユニットの壁の下端部（３１ｂ）が、前記下部の部屋ユニットの壁の上端部（３１ａ）に置かれるために、一直線に結合されることを特徴とする、請求項９に記載の部屋配置。
【請求項１１】
前記部屋ユニット（１）の前記天井（２４）及び／又は前記床（２）が、前記耐力壁（３、４、５、６）の側面に取付けられていることを特徴とする、請求項１から１０のいずれか一項に記載の部屋配置。
【請求項１２】
前記第一固定手段が、前記下部の部屋ユニットの壁の上端部に適合する第一の形状材（３４ａ、３７ａ）と前記上部の部屋ユニットの壁の下端部に適合する第二の形状材（３４ｂ、３７ｂ）とを有し、その壁が一直線に据付けられるようになっている結合異形材（２７、３７、４０）、及び前記第一と第二の形状材を結合する要素（３５）を包含することを特徴とする、請求項１０又は１１に記載の部屋配置。
【請求項１３】
少なくとも二つの前記部屋ユニットが、第二固定手段（２７、３７）によって、水平方向で互いに結合されていることを特徴とする、請求項１から１２のいずれか一項に記載の部屋配置。
【請求項１４】
前記第二固定手段が、互いに隣接して設置される前記部屋ユニットの壁の上端部と適合する第一と第二の形状材（３４ｂ、３４ｄ）を有する結合異形材（２７、３７、４０）と、前記第一と第二の形状材を結合する要素（３５）とを包含することを特徴とする、請求項１３に記載の部屋配置。
【請求項１５】
前記第二固定手段が、互いに隣接して設置される前記部屋ユニットの壁の下端部と適合する第一と第二の形状材（３４ｂ、３４ｄ）を有する結合異形材（２７、３７、４０）と、前記第一と第二の形状材を結合する要素（３５）とを包含することを特徴とする、請求項１３又は１４に記載の部屋配置。
【請求項１６】
前記第一と第二の固定手段が、同一の及び同様の部材（２７、３７、４０）であることを特徴とする、請求項９から１５のいずれか一項に記載の部屋配置。
【請求項１７】
前記天井、床及び少なくとも二つの壁が、少なくとも主にセルラーボードから作られ、前記セルラーボードの第一と第二の表面プレート（１２ａ、１２ｂ）及びそれらの間の芯（１３）が、少なくとも主に金属から作られることを特徴とする、請求項１に記載の部屋配置。
【請求項１８】
前記第一固定手段が、前記部屋ユニット（１）を結合するための結合異形材（２７、３７、４０）を包含し、その結合異形材が、
- 二つの下部の部屋ユニットの壁の上端部のための二つの下向きに開口する第一形状材（３４ａ、３４ｃ）と、
- 二つの上部の部屋ユニットの壁の下端部のための二つの上向きに開口する第二形状材（３４ｂ、３４ｄ）と、
- 前記第一と第二の形状材を結合する要素（３５）と、
を包含することを特徴とする、請求項９から１７のいずれか一項に記載の部屋配置。
【請求項１９】
二つの上に置かれる部屋ユニットを含み、
それらの間の結合が、
- セルラーボードから作られる前記下部の部屋ユニットの壁（３１ａ）と、
- セルラーボードから作られる前記上部の部屋ユニットの壁（３１ｂ）と、
- 前記部屋ユニット（１）を結合するための結合異形材（２７）と、
を包含し、
その結合異形材が、
ａ）第一形状材（３４ａ）であって、その内側に前記下部の部屋ユニットの壁の上端部が、配置され取付けられている第一形状材（３４ａ）と、
ｂ）第二形状材（３４ｂ）であって、その内側に前記上部の部屋ユニットの壁の下端部が、配置され取付けられている第二形状材（３４ｂ）と
ｃ）前記第一と第二の形状材を結合する要素（３５）と、
を包含することを特徴とする、請求項１に記載の部屋配置。
【請求項２０】
部屋配置が、
- セルラーボードから作られる部屋ユニットの二つの下壁（３１ａ、３１ｃ）と、
- セルラーボードから作られる部屋ユニットの二つの上壁（３１ｂ、３１ｄ）と、
- 結合異形材（２７）と、
を包含し、
前記結合異形材が、
ａ）水平方向で互いに間隔を取る二つの下向きに開口する第一形状材（３４ａ、３４ｃ）であって、その形状材の内側に、前記下部の部屋ユニットの壁の上端部が配置され取付けられている第一形状材（３４ａ、３４ｃ）と、
ｂ）水平方向で互いに間隔を取る二つの上向きに開口する第二形状材（３４ｂ、３４ｄ）であって、その形状材の内側に、前記上部の部屋ユニットの壁の下端部が配置され取付けられている第二形状材（３４ｂ、３４ｄ）と、
ｃ）前記第一と第二の形状材を結合する要素（３５）と、
を包含することを特徴とする、請求項１９に記載の部屋配置。
【請求項２１】
前記部屋配置がさらに、一つ又はそれ以上の絶縁プレート（３６ａ、３６ｂ）を包含し、絶縁プレートが前記第一と第二の形状材の内側で前記結合異形材によって結合されるために、前記結合異形材と前記下壁及び前記上壁との間に配置されていることを特徴とする、請求項１９又は２０に記載の部屋配置。
【請求項２２】
- 前記結合異形材（２７）が、
ｄ）前記二つの第一形状材の間に配置されている上向きに開口する第三形状材（３５）と、
- 前記結合異形材に結合される前記部屋ユニットの壁（３１）の平面と主に平行に配置されていて、下端部が前記第三形状材（３５）の内側に配置されている第二絶縁プレート（５８）と、
を包含することを特徴とする、請求項２０に記載の部屋配置。
【請求項２３】
前記天井、床、及び少なくとも二つの壁が、二つのほぼ平行な表面プレートと、それらの間に配置される芯とから形成される、少なくとも主にセルラーボードから成ることを特徴とする、請求項１から２２のいずれか一項に記載の部屋配置。
【請求項２４】
幾つかのプレハブ式の部屋ユニットを包含する前記部屋配置が、自立支持構造であることを特徴とする、請求項１から２３のいずれか一項に記載の部屋配置。
【請求項２５】
前記部屋配置の耐力フレームが、前記上に置かれる部屋ユニットの壁構造体から形成されることを特徴とする、請求項１から２４のいずれか一項に記載の部屋配置。
【請求項２６】
請求項１に記載の前記部屋配置を包含することを特徴とする、船舶。
【請求項２７】
前記部屋配置が、自立支持船室のし切りを形成することを特徴とする、請求項２６に記載の船舶。
【請求項２８】
前記部屋配置の耐力フレームが、前記上に置かれる部屋ユニットの壁構造体から形成されることを特徴とする、請求項２６又は２７に記載の船舶。
【請求項２９】
請求項１に記載の前記部屋配置を包含することを特徴とする、建物。
【請求項３０】
前記部屋配置が、自立支持のアパートの棟を形成することを特徴とする、請求項２９に記載の建物。
【請求項３１】
前記部屋配置の耐力フレームが、前記上に置かれる部屋ユニットの壁構造体から形成されることを特徴とする、請求項２９又は３０に記載の建物。
【請求項３２】
プレハブ式の少なくとも二つの耐力部屋ユニット（２１）の据付場所で部屋配置を構築するための方法であって、
前記耐力部屋ユニット（２１）の各々が、少なくとも主にセルラーボードから作られる、少なくとも天井（２４）、床（２）及び少なくとも二つの壁（３、４、５、６）を有し、
前記方法が少なくとも以下の、
- 据付場所の耐力面にプレハブ式の少なくとも一つの耐力部屋ユニット（２１）を据付けることによって前記部屋配置（２０）の耐力の第一階層（２２ａ）を建造する段階と、
- 前記耐力の第一階層にプレハブ式の少なくとも一つの耐力部屋ユニットを据付けることによって前記部屋配置の第二階層（２２ｂ）を建造する段階と、
- 前記上に置かれる部屋ユニットの壁（３１ａ、３１ｂ）であって、セルラーボードから作られ前記壁を互いに結合異形材によって結合する段階と、
を含み、
前記結合異形材が、
ａ）第一形状材（３４ａ）であって、その内側に前記下部の部屋ユニットの壁の上端部が配置され取付けられる第一形状材（３４ａ）と、
ｂ）第二形状材（３４ｂ）であって、その内側に前記上部の部屋ユニットの壁の下端部が配置され取付けられる第二形状材（３４ｂ）と、
ｃ）前記第一と第二の形状材を結合する要素（３５）と、
を包含する方法。
【請求項３３】
前記方法がさらに、
- 前記先行の耐力階層にプレハブ式の耐力部屋ユニットを据付けることによって前記部屋配置において所望する数の耐力階層（２２）を建造する段階と、
- 前記上に置かれる部屋ユニットを結合異形材によって互いに結合する段階と、
を含み、
前記結合異形材が、
ａ）第一形状材（３４ａ）であって、その内側に前記下部の部屋ユニットの壁の上端部が配置され取付けられる第一形状材（３４ａ）と、
ｂ）第二形状材（３４ｂ）であって、その内側に前記上部の部屋ユニットの壁の下端部が配置され取付けられる第二形状材（３４ｂ）と、
ｃ）前記第一と第二の形状材を結合する要素（３５）と、
を包含することを特徴とする、請求項３２に記載の方法。
【請求項３４】
前記方法がさらに、
- 前記部屋配置の耐力の第一階層で、互いに隣接する二つ又はそれ以上の部屋ユニットを建造する段階と、
- セルラーボードから作られる部屋ユニットの二つの下壁（３１ａ、３１ｃ）と、セルラーボードから作られる前記部屋ユニットの二つの上壁（３１ｂ、３１ｄ）とを、結合異形材で結合することによって、互いに階層を取付ける段階と、
を含み、
前記結合異形材が、
ａ）水平方向で互いに間隔を取る二つの下向きに開口する第一形状材（３４ａ、３４ｃ）であって、その形状材の内側に前記下部の部屋ユニットの壁の上端部が配置され取付けられる第一形状材（３４ａ、３４ｃ）と、
ｂ）水平方向で互いに間隔を取る二つの上向きに開口する第二形状材（３４ｂ、３４ｄ）であって、その形状材の内側に前記上部の部屋ユニットの壁の下端部が配置され取付けられる第二形状材（３４ｂ、３４ｄ）と、
ｃ）前記第一と第二の形状材を結合する要素（３５）と、
を包含することを特徴とする、請求項３２又は３３に記載の方法。
【国際調査報告】
2008528835.tif 000010
2008528835.tif 000011
2008528835.tif 000012
2008528835.tif 000013